(57)【要約】      （修正有）【課題】大型発電機に対する影響を少なくした上で、大型発電機の盗難を防止する。【解決手段】大型発電機Ａの上面に接触する接触板１と、可動部が嵌合状に載置される嵌合部２と、接触板１の下面であって、大型発電機の長手側に沿う両縁に垂設した押さえ板３とから構成されている。接触板１は、短手側を大型発電機Ａの長手側と平行に、長手側を大型発電機Ａの短手側と平行にした長方形の平板状のものである。嵌合部２は、接触板１の上面周囲縁に立ち上げた側壁２１によって接触板１上に形成された凹状部分であり、このような嵌合部２に可動部が嵌合されるとともに、押さえ板３は、クッション材４が大型発電機Ａの側面に密着するような位置に垂設されている。【選択図】図３
0003105513.tif 000002
【実用新案登録請求の範囲】
【請求項１】
大型発電機の盗難を防止するための盗難防止具であって、
大型発電機上に載置され、建設機械における可動部の上方からの押し力によって大型発電機を不動状態にする態様としていることを特徴とする盗難防止具。
【請求項２】
前記可動部が嵌合する嵌合部を備えていることを特徴とする請求項１に記載の盗難防止具。
【請求項３】
大型発電機の側部を押さえる押さえ板が垂設されてなり、当該押さえ板は、すくなくとも、大型発電機の対面する２面の側部を押さえるようにされていることを特徴とする請求項１又は請求項２に記載の盗難防止具。
【請求項４】
大型発電機に対する接触面には、クッション材が設けられていることを特徴とする請求項１ないし請求項３いずれか１項に記載の盗難防止具。
【考案の詳細な説明】
【技術分野】
【０００１】
本考案は、大型発電機の盗難防止に用いられる盗難防止具に関する。
【背景技術】
【０００２】
工事現場で使用される大型発電機は、相当な重量物であるため工事期間中、常に現場に放置されている。
【考案の開示】
【考案が解決しようとする課題】
【０００３】
ところで、最近では、大型発電機の盗難が増えつつあり、この盗難を防止する手段が望まれているが、本願出願人が知り得る範囲において、盗難を防止する手段についての先行文献情報は無い。
【０００４】
本願出願人は、大型発電機に対する影響を少なくした上で、大型発電機の盗難を防止することを課題とし、この課題を解決する盗難防止具の提供を目的とする。
【課題を解決するための手段】
【０００５】
上記目的を達成するために本考案が採用した技術的手段は、大型発電機の盗難を防止するための盗難防止具であって、大型発電機上に載置され、建設機械における可動部の上方からの押し力によって大型発電機を不動状態にする態様としていることを特徴とする。（請求項１）
ここでいう建設機械とは、たとえば、ショベルカーやブルドーザー等の少なくとも上下動可能な可動部を備えるものすべてを包含する。
また、可動部とは、前記建設機械に備えられるバケット等であり、このバケットを載置された盗難防止具の上方に載せるとともに、盗難防止具に対して押し力を加える。
【０００６】
また、可動部の押さえ力は大きいほど盗難防止の効果が高くなるが、この押さえ力が大きすぎる場合、大型発電機に対して影響を与える可能性が有る。
そこで、小さい押し力によっても大型発電機を不動状態にする観点から、前記可動部が嵌合する嵌合部を備える（請求項２）ことが好ましい。
さらに、小さい押し力によっても大型発電機を不動状態にする観点から、大型発電機の側部を押さえる押さえ板を垂設し、当該押さえ板を、すくなくとも、大型発電機の対面する２面の側部を押さえるようにする（請求項３）ことが好ましい。
【０００７】
また、大型発電機に対する可動部の押さえ力による影響を少なくするという観点から、大型発電機に対する接触面にクッション材を設ける（請求項４）ことが好ましい。
【考案の効果】
【０００８】
請求項１の考案によれば、盗難防止具を大型発電機上に載置し、その盗難防止具上から可動部の押し力を作用させるようにしているので、大型発電機に対する傷付き等の影響を抑制した上で、大型発電機を不動状態とすることができる。
したがって、大型発電機に対する影響を少なくした上で、大型発電機の盗難を防止することができる。
【０００９】
また、請求項２の考案によれば、可動部が嵌合部に嵌合することによって、盗難防止具の水平方向のずれが防止されるので、盗難防止具を抜き取られるようなことが無い。
したがって、可動部の押さえ力が小さくても、大型発電機に対する盗難防止具の接触状態を確実に保持して大型発電機の不動状態を保持し、しかも大型発電機への押さえ力による影響をより効果的に抑制することができる。
また、請求項３の考案によれば、押さえ板によって大型発電機の側部が押さて、盗難防止具と大型発電機相互の水平方向のずれを防止しているので、可動部の押さえ力が小さくても、大型発電機に対する盗難防止具の接触状態を確実に保持して大型発電機の不動状態を保持し、しかも大型発電機への押さえ力による影響をより効果的に抑制することができる。
さらに、請求項４の発明によれば、クッション材によって可動部の押さえ力を吸収するので、大型発電機への押さえ力による影響をさらに効果的に抑制することができる。
【考案を実施するための最良の形態】
【００１０】
以下、本考案の実施例を図面に基づいて説明する。
図１ないし図３は、本考案の盗難防止具Ｃを大型発電機Ａに載置した状態を示し、図２では、当該盗難防止具Ｃ上に可動部Ｂを載置した盗難防止状態を示している。
【００１１】
本実施例の盗難防止具Ｃは、大型発電機Ａの上面に接触する接触板１と、可動部が嵌合状に載置される嵌合部２と、接触板１の下面であって、大型発電機の長手側に沿う両縁に垂設した押さえ板３とから構成されている。
【００１２】
接触板１は、短手側を大型発電機Ａの長手側と平行に、長手側を大型発電機Ａの短手側と平行にした長方形の平板状のものである。
嵌合部２は、接触板１の上面周囲縁に立ち上げた側壁２１によって接触板１上に形成された凹状部分であり、このような嵌合部２に可動部Ｂが嵌合されるとともに、
押さえ板３は、後述するクッション材４が大型発電機Ａの側面に密着するような位置に垂設されている。
【００１３】
さらに詳述すると、前記接触板１の上面には、前記側壁２１間に亘って２本の補強杆１１が設けられている。
また、前記接触板１の上面には、４箇所の水抜き孔１２が開孔され、当該水抜き孔１２は、網体１３が張られている。
また、接触板１の下面（以下、「接触面」という）１４と押さえ板３の裏面（以下、「接触面」という）１５には、前述したクッション材４が点在するように貼り付けられている。
クッション材４は、ゴム材や軟質の合成樹脂材を板状に形成したものであり、このようなクッション材４の弾性によって可動部Ｂの押し力を吸収して、その押し力による大型発電機への傷付き等の影響を抑制する。
前記側壁２１の一辺には、可動部Ｂの先端部Ｂ１が引っ掛かる掛止部２２が設けられており、可動部Ｂを嵌合部２に嵌合する際に前記先端部Ｂ１を掛止部２２に引っ掛けることによって、可動部Ｂの嵌合部２への嵌合状態をより確実に保持するようにしている。
符号Ｃ１は、盗難防止具Ｃを吊り下げる際に用いられるロープやチェーン等を引っ掛けるためのフックである。
【００１４】
このようにした盗難防止具Ｃによれば、大型発電機Ａ上に盗難防止具Ｃをセットし、当該盗難防止具Ｃにおける掛止部２２に可動部Ｂの先端部Ｂ１を引っ掛けた状態で、その可動部Ｂを嵌合部２へ嵌合させる。
このとき、可動部Ｂを下降方向へ動かして、その下降による押し力を盗難防止具Ｃを介して大型発電機Ａに作用させることによって、大型発電機Ａを固定状に保持することができる
【００１５】
なお、本実施の形態では、前記押さえ板が大型発電機の側面の２面を挟むようにしてなる態様を例示しているが、他の態様としては、押さえ板を大型発電機の全周に亘って設けた態様としてもよい。(図示せず)
この場合、前記接触板の態様として、前記実施の形態で例示したように、大型発電機の上面の一部に接触するような態様としてもよいし、大型発電機の上面全域に接触するような態様としてもよい。(図示せず)
また、
【００１６】
なお、本考案は例示した実施例に限定されるものではなく、実用新案登録請求の範囲された内容から逸脱しない範囲で他の構成による実施が可能である。
【図面の簡単な説明】
【００１７】
【図１】本考案に係る盗難防止具をセットした状態を示す斜視図。
【図２】図１の(２)−(２)線断面図。
【図３】図１の(３)−(３)線断面図。
【符号の説明】
【００１８】
Ａ：大型発電機
Ｂ：可動部
Ｃ：盗難防止具
１：接触板
２：嵌合部
３：押さえ板
４：クッション材
１４：接触面
１５：接触面
２１：側壁
【図１】
0003105513.tif 000003
【図２】
0003105513.tif 000004
【図３】
0003105513.tif 000005
【手続補正書】
【提出日】平成16年7月1日(2004.7.1)
【手続補正１】
【補正対象書類名】実用新案登録請求の範囲
【補正対象項目名】全文
【補正方法】変更
【補正の内容】
【実用新案登録請求の範囲】
【請求項１】
大型発電機の盗難を防止するための盗難防止具であって、
大型発電機上に載置され、建設機械における可動部の上方からの押し力によって大型発電機を不動状態にする接触板を備えていることを特徴とする盗難防止具。
【請求項２】
前記接触板は、前記可動部が嵌合する嵌合部を備えていることを特徴とする請求項１に記載の盗難防止具。
【請求項３】
前記接触板に大型発電機の側部を押さえる押さえ板が垂設され、当該押さえ板は、すくなくとも、大型発電機の対面する２面の側部を押さえるようにされていることを特徴とする請求項１又は請求項２に記載の盗難防止具。
【請求項４】
前記接触板における大型発電機に対する接触面には、クッション材が設けられていることを特徴とする請求項１ないし請求項３いずれか１項に記載の盗難防止具。
【手続補正２】
【補正対象書類名】明細書
【補正対象項目名】０００５
【補正方法】変更
【補正の内容】
【０００５】
上記目的を達成するために本考案が採用した技術的手段は、大型発電機の盗難を防止するための盗難防止具であって、大型発電機上に載置され、建設機械における可動部の上方からの押し力によって大型発電機を不動状態にする接触板を備えたことを特徴とする。（請求項１）
ここでいう建設機械とは、たとえば、ショベルカーやブルドーザー等の少なくとも上下動可能な可動部を備えるものすべてを包含する。
また、可動部とは、前記建設機械に備えられるバケット等であり、このバケットを載置された盗難防止具の上方に載せるとともに、盗難防止具に対して押し力を加える。
【手続補正３】
【補正対象書類名】明細書
【補正対象項目名】０００６
【補正方法】変更
【補正の内容】
【０００６】
また、可動部の押さえ力は大きいほど盗難防止の効果が高くなるが、この押さえ力が大きすぎる場合、大型発電機に対して影響を与える可能性が有る。
そこで、小さい押し力によっても大型発電機を不動状態にする観点から、前記接触板に前記可動部が嵌合する嵌合部を備える（請求項２）ことが好ましい。
さらに、小さい押し力によっても大型発電機を不動状態にする観点から、前記接触板に大型発電機の側部を押さえる押さえ板を垂設し、当該押さえ板を、すくなくとも、大型発電機の対面する２面の側部を押さえるようにする（請求項３）ことが好ましい。
【手続補正４】
【補正対象書類名】明細書
【補正対象項目名】０００７
【補正方法】変更
【補正の内容】
【０００７】
また、大型発電機に対する可動部の押さえ力による影響を少なくするという観点から、前記接触板における大型発電機に対する接触面にクッション材を設ける（請求項４）ことが好ましい。